(57)【要約】【課題】印刷用媒体に対する印刷情報と筆記用媒体に対する筆記情報とを対応付けて表示するに当たり、印刷情報を正確に抽出する。【解決手段】画像形成装置４０では、受信部４０１が、印刷帳票の印刷命令であるＰＤＬデータを受信し、ＰＤＬ解釈部４０２がＰＤＬデータを解釈して印刷座標と印刷データの組からなる解釈結果を記憶し、文書判別部４０５が、特定の印刷座標と印刷データの組が解釈結果に含まれれば、その組に対応するテンプレートＮｏを取得し、切出し部４０７が、そのテンプレートＮｏに対応する印刷座標とこれに対応する印刷データとを解釈結果から抽出し、印刷帳票の識別情報と共に切出し結果として記憶する。そして、送信部４０９が、印刷データと筆跡情報との比較画面を生成する識別情報サーバからの要求に応じて、指定された印刷帳票の識別情報に対応する印刷座標と印刷データの組を送信する。【選択図】図８
2010225002.tif 000002
【特許請求の範囲】
【請求項１】
電子文書の印刷命令を取得する印刷命令取得手段と、
前記印刷命令取得手段により取得された前記印刷命令から、印刷用媒体上の特定の印刷位置に対する印刷情報を抽出する印刷情報抽出手段と、
筆記用媒体上の特定の筆記位置に対する筆記を電子化した筆記情報を取得する筆記情報取得手段と、
前記印刷情報抽出手段により抽出された前記印刷情報と前記筆記情報取得手段により取得された前記筆記情報とを対応付けた表示を指示する指示手段と
を備えたことを特徴とする情報照合支援システム。
【請求項２】
前記印刷命令取得手段により取得された前記印刷命令に基づいて、前記印刷用媒体上の各印刷位置と当該各印刷位置に対する印刷情報とを対応付けた対応情報を生成する生成手段を更に備え、
前記印刷情報抽出手段は、前記生成手段により生成された前記対応情報において、前記特定の印刷位置に対応付けられた前記印刷情報を抽出することを特徴とする請求項１に記載の情報照合支援システム。
【請求項３】
前記印刷情報抽出手段は、前記電子文書の種別に対して予め定められた前記特定の印刷位置に対する前記印刷情報を抽出することを特徴とする請求項１に記載の情報照合支援システム。
【請求項４】
前記印刷命令取得手段により取得された前記印刷命令に基づいて、前記印刷用媒体上の各印刷位置と当該各印刷位置に対する印刷情報とを対応付けた対応情報を生成する生成手段と、
前記生成手段により生成された前記対応情報に、予め定められた印刷位置と予め定められた印刷情報とを対応付けた特定の対応情報が含まれる場合に、当該特定の対応情報に対して予め定められた種別を、前記電子文書の種別として決定する決定手段と
を更に備えたことを特徴とする請求項３に記載の情報照合支援システム。
【請求項５】
前記特定の印刷位置と前記特定の筆記位置とが予め関連付けられていることを特徴とする請求項１に記載の情報照合支援システム。
【請求項６】
前記筆記情報取得手段により取得された前記筆記情報に対して文字認識を行う文字認識手段と、
前記印刷情報抽出手段により抽出された前記印刷情報と、前記文字認識手段による文字認識の結果との一致度を取得する一致度取得手段と
を更に備え、
前記指示手段は、前記一致度取得手段により取得された前記一致度の表示を更に指示することを特徴とする請求項１に記載の情報照合支援システム。
【請求項７】
コンピュータに、
電子文書の印刷命令を取得する機能と、
前記印刷命令から、印刷用媒体上の特定の印刷位置に対する印刷情報を抽出する機能と、
筆記用媒体上の特定の筆記位置に対する筆記を電子化した筆記情報と、前記印刷情報とを照合する要求に応じて、当該印刷情報を出力する機能と
を実現させるためのプログラム。
【請求項８】
コンピュータに、
電子文書の印刷命令から抽出された、印刷用媒体上の特定の印刷位置に対する印刷情報を取得する機能と、
筆記用媒体上の特定の筆記位置に対する筆記を電子化した筆記情報を取得する機能と、
前記印刷情報と前記筆記情報とを対応付けた表示を指示する機能と
を実現させるためのプログラム。
【発明の詳細な説明】
【技術分野】
【０００１】
本発明は、情報照合支援システム、プログラムに関する。
【背景技術】
【０００２】
手書き文字のイメージデータとこれを文字認識した結果のテキストデータとを並べて表示する技術が知られている（例えば、特許文献１、２参照）。
特許文献１の技術は、公文書公開請求書のフォーマットデータに手書き文字のイメージデータを貼り付けた公文書公開請求書と、イメージデータをテキストデータに変換した公文書公開請求書とを並べて画面表示させることで、手書きの公文書公開請求書を電子データとして受け付けることを可能にしている。
特許文献２の技術は、デジタルペンで帳票に手書きされた文字イメージとその文字イメージの文字認識結果のテキストデータとを表示する訂正画面において、文字が書かれた順序で部分文字イメージを所定時間間隔で順に表示することで、手書きされた文字を確実に判読できるようにしている。
【先行技術文献】
【特許文献】
【０００３】
【特許文献１】特開２００３−３０８４７９号公報
【特許文献２】特開２００７−０７９９４３号公報
【発明の概要】
【発明が解決しようとする課題】
【０００４】
本発明の目的は、印刷用媒体に対する印刷情報と筆記用媒体に対する筆記情報とを対応付けて表示するに当たり、印刷情報を正確に抽出することにある。
【課題を解決するための手段】
【０００５】
請求項１に記載の発明は、電子文書の印刷命令を取得する印刷命令取得手段と、前記印刷命令取得手段により取得された前記印刷命令から、印刷用媒体上の特定の印刷位置に対する印刷情報を抽出する印刷情報抽出手段と、筆記用媒体上の特定の筆記位置に対する筆記を電子化した筆記情報を取得する筆記情報取得手段と、前記印刷情報抽出手段により抽出された前記印刷情報と前記筆記情報取得手段により取得された前記筆記情報とを対応付けた表示を指示する指示手段とを備えたことを特徴とする情報照合支援システムである。
請求項２に記載の発明は、前記印刷命令取得手段により取得された前記印刷命令に基づいて、前記印刷用媒体上の各印刷位置と当該各印刷位置に対する印刷情報とを対応付けた対応情報を生成する生成手段を更に備え、前記印刷情報抽出手段は、前記生成手段により生成された前記対応情報において、前記特定の印刷位置に対応付けられた前記印刷情報を抽出することを特徴とする請求項１に記載の情報照合支援システムである。
請求項３に記載の発明は、前記印刷情報抽出手段は、前記電子文書の種別に対して予め定められた前記特定の印刷位置に対する前記印刷情報を抽出することを特徴とする請求項１に記載の情報照合支援システムである。
請求項４に記載の発明は、前記印刷命令取得手段により取得された前記印刷命令に基づいて、前記印刷用媒体上の各印刷位置と当該各印刷位置に対する印刷情報とを対応付けた対応情報を生成する生成手段と、前記生成手段により生成された前記対応情報に、予め定められた印刷位置と予め定められた印刷情報とを対応付けた特定の対応情報が含まれる場合に、当該特定の対応情報に対して予め定められた種別を、前記電子文書の種別として決定する決定手段とを更に備えたことを特徴とする請求項３に記載の情報照合支援システムである。
請求項５に記載の発明は、前記特定の印刷位置と前記特定の筆記位置とが予め関連付けられていることを特徴とする請求項１に記載の情報照合支援システムである。
請求項６に記載の発明は、前記筆記情報取得手段により取得された前記筆記情報に対して文字認識を行う文字認識手段と、前記印刷情報抽出手段により抽出された前記印刷情報と、前記文字認識手段による文字認識の結果との一致度を取得する一致度取得手段とを更に備え、前記指示手段は、前記一致度取得手段により取得された前記一致度の表示を更に指示することを特徴とする請求項１に記載の情報照合支援システムである。
請求項７に記載の発明は、コンピュータに、電子文書の印刷命令を取得する機能と、前記印刷命令から、印刷用媒体上の特定の印刷位置に対する印刷情報を抽出する機能と、筆記用媒体上の特定の筆記位置に対する筆記を電子化した筆記情報と、前記印刷情報とを照合する要求に応じて、当該印刷情報を出力する機能とを実現させるためのプログラムである。
請求項８に記載の発明は、コンピュータに、電子文書の印刷命令から抽出された、印刷用媒体上の特定の印刷位置に対する印刷情報を取得する機能と、筆記用媒体上の特定の筆記位置に対する筆記を電子化した筆記情報を取得する機能と、前記印刷情報と前記筆記情報とを対応付けた表示を指示する機能とを実現させるためのプログラムである。
【発明の効果】
【０００６】
請求項１の発明によれば、本構成を有していない場合に比較して、印刷用媒体に対する印刷情報と筆記用媒体に対する筆記情報とを対応付けて表示するに当たり、印刷情報を正確に抽出することができる。
請求項２の発明によれば、本構成を有していない場合に比較して、特定の印刷位置に対する印刷情報を印刷命令から簡単な処理で抽出することができる。
請求項３の発明によれば、電子文書の種別に応じた印刷位置に対する印刷情報を印刷命令から抽出することができる。
請求項４の発明によれば、印刷命令を参照する処理以外の特別な処理を行うことなく、電子文書の種別を特定することができる。
請求項５の発明によれば、印刷用媒体に対する印刷情報と、筆記用媒体に対する筆記情報のうち印刷情報が印刷された位置に予め関連付けられた位置における筆記情報とを対応付けて表示することができる。
請求項６の発明によれば、印刷用媒体に対する印刷情報と筆記用媒体に対する筆記情報の一致度を把握することができる。
請求項７の発明によれば、本構成を有していない場合に比較して、印刷用媒体に対する印刷情報と筆記用媒体に対する筆記情報とを対応付けて表示するに当たり、印刷情報を正確に抽出することができる。
請求項８の発明によれば、本構成を有していない場合に比較して、印刷用媒体に対する印刷情報と筆記用媒体に対する筆記情報とを対応付けて表示するに当たり、正確に抽出された印刷情報を用いることができる。
【図面の簡単な説明】
【０００７】
【図１】本発明の実施の形態が適用されるシステム構成を示した図である。
【図２】本発明の実施の形態における情報照合支援処理の概要を示した図である。
【図３】本発明の実施の形態における文書サーバの機能構成を示したブロック図である。
【図４】本発明の実施の形態における識別情報サーバの機能構成を示したブロック図である。
【図５】本発明の実施の形態における印刷文書出力時の動作を示したシーケンス図である。
【図６】本発明の実施の形態で生成される符号画像の例を示した図である。
【図７】本発明の実施の形態における画像形成装置のハードウェア構成例を示した図である。
【図８】本発明の実施の形態における画像形成装置の機能構成を示した図である。
【図９】本発明の実施の形態における画像形成装置の動作を示したフローチャートである。
【図１０】本発明の実施の形態におけるデジタルペンの機構を示した図である。
【図１１】本発明の実施の形態におけるデジタルペンの制御回路の機能構成を示したブロック図である。
【図１２】本発明の実施の形態における印刷文書への筆記時の動作を示したシーケンス図である。
【図１３】本発明の実施の形態で記憶される筆跡管理情報及び筆跡情報の例を示した図である。
【図１４】本発明の実施の形態における比較画面の表示時の動作を示したシーケンス図である。
【図１５】本発明の実施の形態を実現可能なコンピュータのハードウェア構成図である。
【発明を実施するための形態】
【０００８】
以下、添付図面を参照して、本発明の実施の形態について詳細に説明する。
まず、本実施の形態におけるコンピュータシステムの全体構成について説明する。
図１は、本実施の形態のコンピュータシステムの構成例を示したものである。
図示するように、このコンピュータシステムは、端末装置１０と、文書サーバ２０と、識別情報サーバ３０と、画像形成装置４０と、端末装置５０とがネットワーク８０に接続されることにより構成されている。また、端末装置５０には、デジタルペン６０が通信装置７０を介して接続されている。
【０００９】
端末装置１０は、文書サーバ２０に対して電子文書の印刷を要求するコンピュータ装置である。ここで、端末装置１０としては、例えば、パーソナルコンピュータやワークステーション、その他のコンピュータを用いるとよい。
文書サーバ２０は、電子文書を記憶し管理するコンピュータ装置である。また、端末装置１０から電子文書の印刷要求があると、電子文書の画像と、識別情報及び位置情報を表す符号画像とを生成し、これらを合成した合成画像を媒体に印刷する印刷命令を画像形成装置４０に対して出力する。この場合、識別情報とは、媒体を一意に特定するための情報であり、位置情報とは、媒体上の座標位置を特定するための情報である。ここで、文書サーバ２０としては、例えば、パーソナルコンピュータやワークステーション、その他のコンピュータを用いるとよい。
【００１０】
識別情報サーバ３０は、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータを用いるとよい。
画像形成装置４０は、媒体に画像を印刷し、印刷文書として出力する装置である。この画像形成装置４０は、単体のプリンタや印刷機であってもよいし、他にスキャナや通信の機能を備えた所謂複合機であってもよい。ここで、画像形成装置４０における画像形成方式としては、例えば、電子写真方式を用いるとよいが、その他の方式を用いてもよい。尚、以下では、媒体に付与する識別情報を識別情報サーバ３０が発行するものとして説明するが、システム内で重複なく発行できるのであれば識別情報はどの装置で発行してもよく、この画像形成装置４０で発行するようにしてもよい。その場合は、例えば、画像形成装置４０の機械番号と画像形成装置４０におけるプリントカウントの値とを結合したものを識別情報として用いるとよい。
【００１１】
端末装置５０は、印刷文書に対する筆記を電子化した情報（以下、「筆跡情報」という）を、印刷文書に記録された画像の元となる電子文書に反映させるために、該情報を識別情報サーバ３０に送信するコンピュータ装置である。また、筆跡情報を反映する対象の電子文書をディスプレイに表示し、その上に筆跡情報を重ねて表示するようにしてもよい。ここで、端末装置５０としては、例えば、パーソナルコンピュータやワークステーション、その他のコンピュータを用いるとよい。尚、本実施の形態では、筆記の内容を電子化した筆記情報の一例として、筆跡情報を用いている。また、筆跡情報を主に手書き情報として説明するが、これに限らず、例えば、建築や機械等の図面データを出力する装置であるプロッタ等によって機械的に描画された情報であってもよい。
【００１２】
デジタルペン６０は、電子筆記具の一例であり、印刷文書上に文字又は図形を筆記するために用いられるペンデバイスである。また、媒体に印刷された符号画像を読み取る撮像素子を備える。そして、撮像素子で読み取った符号画像から位置情報を検出し、筆記した文字又は図形をイメージデータ化した筆跡情報をこの位置情報に基づいて生成し記憶する。
通信装置７０は、デジタルペン６０から筆跡情報を取得して端末装置５０に送信する装置である。例えば、デジタルペン６０を差し込む差込口を設け、この差込口にデジタルペン６０が差し込まれると、デジタルペン６０に記憶された筆跡情報を端末装置５０に送信するようにするとよい。ここで、端末装置５０との間の通信の方式としては、ＵＳＢ（Universal Serial Bus）、Ｂｌｕｅｔｏｏｔｈ（登録商標）、赤外線通信機能等、種々の方式が考えられる。また、図では、通信装置７０をデジタルペン６０と別体のものとして示しているが、必ずしも別体である必要はなく、一体に構成してもよい。
【００１３】
尚、本明細書では、媒体に記録する画像の元となる電子データを「電子文書」と表記するが、これは、テキストを含む「文書」を電子化したデータのみを意味するものではない。例えば、絵、写真、図形等の画像データ（ラスタデータかベクターデータかによらない）、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシートや金属板等であっても構わない。
更に、本明細書では、電子文書、媒体、更にはデジタルペン６０やユーザについて、それぞれを一意に識別するための識別情報を用いて処理を行うが、単に「識別情報」というときは、このうち、媒体の識別情報を意味するものとする。
【００１４】
ところで、このようなコンピュータシステムで印刷された帳票（以下、「印刷帳票」という）に記載された事項を、手書き用の帳票（以下、「手書き帳票」という）に書き写さなければならない場合がある。例えば、基幹システムから帳票は出力されるものの、顧客との取引においては、顧客が独自に指定した帳票を用いなければならないような場合である。
このような場合、印刷帳票における記載事項が手書き帳票に正しく転記されていることが必要となる。
そこで、本実施の形態では、印刷帳票のどの位置に如何なる情報が印刷されているかを抜き出し、手書き帳票に手書きした事項とのチェックを行えるようにした。
【００１５】
図２は、本実施の形態の概略動作を示した図である。
図示するように、本実施の形態では、基幹システムで作成された帳票のデータを保持する文書サーバ２０が、画像形成装置４０に帳票の印刷命令を送る。この印刷命令には、例えば、座標（０，０）に「富士」と印刷すべき旨の記述や、座標（２０，２０）に「１２３」と印刷すべき旨の記述が含まれる。そこで、画像形成装置４０は、印刷帳票を出力するに当たって、これらの情報を切り出しておく。
また、本実施の形態では、転記者が、印刷帳票を見ながら、必要な事項を手書き帳票に転記する。転記は、赤外光を照射することによって座標を認識可能なデジタルペン６０で行う。ここで、手書き帳票には、必要な事項の記入欄が設けてあり、システム（一例として、識別情報サーバ３０）には、印刷帳票の座標（０，０）、（２０，２０）に記載された事項の記入欄が手書き帳票の座標（１０，１０）、（３０，１５）に設けてあることを示す設定情報が入力されているものとする。これにより、識別情報サーバ３０は、画像形成装置４０が印刷命令から切り出した情報と、座標（１０，１０）、（３０，１５）の記入欄に対する手書きの情報とを取得する。そして、これらの情報をチェックし易いように並べた比較画面を、例えば、端末装置５０のディスプレイ上に表示する。図では、印刷命令から切り出した情報と手書きの情報とが一致しているので、問題なしと判断できる。
【００１６】
以下、このような概略動作を行う本実施の形態について、具体的に説明する。
本実施の形態では、文書サーバ２０が印刷帳票の電子データを管理し、比較画面の表示が指示されると、識別情報サーバ３０が比較画面を表示するための表示情報を生成する。
このように、本実施の形態では、文書サーバ２０及び識別情報サーバ３０が中心となって動作するので、これらのサーバの構成について詳細に説明する。尚、手書き帳票としては、手書きを行った座標を読み取るためのコードが埋め込まれた媒体に本システム以外のシステムによって記入欄等が印刷されたものを用いてもよいが、本実施の形態では、説明の便宜上、手書き帳票も本コンピュータシステムで印刷するものとする。
まず、文書サーバ２０の構成について説明する。
図３は、文書サーバ２０の機能構成例を示したブロック図である。
図示するように、文書サーバ２０は、受信部２１と、識別情報取得部２２とを備える。また、識別符号生成部２５ａと、位置符号生成部２５ｂと、符号配置部２５ｃと、パターン画像記憶部２５ｄと、符号画像生成部２５ｅとを備える。更に、文書画像生成部２６と、画像合成部２７と、送信部２９とを備える。
【００１７】
受信部２１は、端末装置１０から印刷要求を受信する。ここで、印刷要求には、印刷対象となる電子文書（印刷帳票及び手書き帳票の電子データ）の識別情報（以下、「文書ＩＤ」という）と、印刷に関する各種設定（以下、「印刷設定」という）とが含まれる。本実施の形態では、印刷用媒体の一例として、印刷帳票を用いており、筆記用媒体の一例として、手書き帳票を用いている。
識別情報取得部２２は、受信部２１から文書ＩＤ及び印刷設定を取得し、これを送信部２９に渡して識別情報の発行要求の送信を指示し、これを文書画像生成部２６に渡して文書画像の生成を指示する。また、受信部２１から識別情報を取得し、これを識別符号生成部２５ａに渡して識別符号の生成を指示する。
【００１８】
識別符号生成部２５ａは、媒体を特定する識別情報を符号化して識別符号を生成する。
位置符号生成部２５ｂは、媒体上の座標位置を示す位置情報を符号化して位置符号を生成する。
符号配置部２５ｃは、識別符号生成部２５ａにて生成された識別符号や、位置符号生成部２５ｂにて生成された位置符号等を予め定めたレイアウトに従って２次元平面に配置し２次元の符号配列を生成する。
パターン画像記憶部２５ｄは、符号配列に格納される各符号の符号値に対応するパターン画像を記憶する。
符号画像生成部２５ｅは、符号配置部２５ｃが生成した２次元の符号配列を参照し、各符号値に対応したパターン画像を選択して符号画像を生成する。
【００１９】
文書画像生成部２６は、識別情報取得部２２から文書ＩＤ及び印刷設定を取得し、この文書ＩＤで特定される電子文書を図示しない記憶手段から読み出し、印刷設定に従ってその電子文書の文書画像を生成する。
画像合成部２７は、符号画像生成部２５ｅが生成した符号画像と、文書画像生成部２６が生成した文書画像とを合成し、合成画像を生成する。
送信部２９は、識別情報サーバ３０に対して識別情報の発行要求を送信する。また、画像形成装置４０に対して媒体に対する画像の印刷命令を送信する。
【００２０】
次に、識別情報サーバ３０の構成について説明する。
図４は、識別情報サーバ３０の機能構成例を示したブロック図である。
図示するように、識別情報サーバ３０は、受信部３１と、媒体管理部３２と、媒体管理情報記憶部３３と、表示情報生成部３４とを備える。また、筆跡管理部３５と、筆跡管理情報記憶部３６と、送信部３９とを備える。
【００２１】
受信部３１は、文書サーバ２０から識別情報の発行要求を受信する。また、受信部３１は、印刷文書に対する筆記がなされた際には、識別情報、筆跡情報を端末装置５０から受信する。更に、比較画面の表示が指示された際に、端末装置５０からは、印刷帳票を特定するための識別情報と手書き帳票を特定するための識別情報とを受信し、画像形成装置４０からは、印刷帳票の印刷命令から切り出された情報を受信する。
【００２２】
媒体管理部３２は、識別情報の発行要求があると、識別情報を重複することなく発行し、その際に指定された文書ＩＤ及び印刷設定を識別情報に関連付けて記憶する。また、本実施の形態では、印刷帳票の識別情報に対し、その印刷帳票を印刷した画像形成装置４０のアドレスも関連付けて記憶する。更に、比較画面の表示が指示された際には、指定された識別情報の印刷帳票を印刷した画像形成装置４０のアドレスを取得する。
【００２３】
媒体管理情報記憶部３３は、識別情報と、その識別情報が付与された媒体に印刷された電子文書の文書ＩＤと、それが付与された媒体に電子文書が印刷された際の印刷設定と、それが付与された媒体に電子文書を印刷した画像形成装置４０のアドレスとを記憶するデータベースである。
表示情報生成部３４は、比較画面の表示が指示された際に、画像形成装置４０から取得した情報と、筆跡管理部３５から取得した情報とに基づいて、比較画面を表示するための表示情報を生成する。
【００２４】
筆跡管理部３５は、受信部３１が受信した識別情報、筆跡情報を取得し、筆跡管理情報記憶部３６に登録する。また、比較画面の表示が指示された際には、指定された識別情報に対応する筆跡情報を筆跡管理情報記憶部３６から取り出し、この筆跡情報から、設定情報で指定された部分の筆跡情報を切り出す。本実施の形態では、筆記用媒体上の特定の筆記位置に対する筆記を電子化した筆記情報の一例として、設定情報で指定された部分の筆跡情報を用いており、筆記情報を取得する筆記情報取得手段の一例として、筆跡管理部３５を設けている。
筆跡管理情報記憶部３６は、筆跡管理部３５によって管理される筆跡管理情報を記憶する。
【００２５】
送信部３９は、文書サーバ２０からの要求に応じて発行した識別情報を文書サーバ２０に送信する。また、比較画面の表示が指示された際には、画像形成装置４０に対して印刷帳票の識別情報を送信し、端末装置５０に対して表示情報を送信する。本実施の形態では、印刷情報と筆記情報とを対応付けた表示を指示する指示手段の一例として、送信部３９を設けている。
【００２６】
次いで、本実施の形態の動作について説明する。
本実施の形態における動作は、大きく、印刷帳票及び手書き帳票の出力と、手書き帳票への筆記と、比較画面の表示とに分けられるので、以下ではこれらを分けて説明する。
【００２７】
Ａ．印刷帳票及び手書き帳票の出力
図５は、このときの文書サーバ２０及び識別情報サーバ３０の動作を示したシーケンス図である。
文書サーバ２０では、まず、受信部２１が、電子文書（印刷帳票及び手書き帳票の電子データ）の印刷要求を端末装置１０から受信する（ステップ２１１）。このうち、電子文書の印刷要求には、文書ＩＤと印刷設定とが含まれる。ここで、文書ＩＤとしては、例えば、ＵＲＬ（Uniform Resource Locator）を用いるとよいが、電子文書を一意に特定することができるものであれば他の情報を用いてもよい。また、印刷設定は、ページ、部数、用紙サイズ、拡大縮小率、複数ページを１枚の媒体にまとめて出力する機能、余白等の設定を含む。
受信部２１は、これらの情報を受信すると、識別情報取得部２２に受け渡す。すると、識別情報取得部２２は、受け渡された情報のうち、文書ＩＤと印刷設定とを送信部２９に渡し、送信部２９が、これらの情報を識別情報サーバ３０に送信することで、識別情報の発行を要求する（ステップ２１２）。
【００２８】
これにより、識別情報サーバ３０では、受信部３１が、文書ＩＤと印刷設定とを受信する（ステップ３１１）。そして、文書ＩＤと印刷設定は媒体管理部３２に渡され、媒体管理部３２が、媒体管理情報記憶部３３から未使用の識別情報を取り出す（ステップ３１２）。ここで、取り出す識別情報の数は、印刷設定に応じて決められる。つまり、基本的には、印刷するページ数に印刷部数を乗じて得られる数の識別情報が取り出される。但し、設定情報中に、複数ページを１枚の媒体にまとめて出力する機能の指定等がある場合は、それも考慮される。例えば、１０ページの電子文書を２ページずつ１枚の媒体にまとめて５部印刷する場合は、２５（＝１０÷２×５）個の識別情報が取り出される。
次に、媒体管理部３２は、識別情報と文書ＩＤと印刷設定とを関連付けて媒体管理情報記憶部３３に記憶する（ステップ３１３）。そして、ステップ３１２で発行された識別情報は送信部３９に渡され、送信部３９が、文書サーバ２０に対し、識別情報を送信する（ステップ３１４）。
【００２９】
これにより、文書サーバ２０では、受信部２１が識別情報を受信する（ステップ２１３）。そして、受信部２１は、受信した識別情報を識別情報取得部２２に受け渡す。
すると、文書サーバ２０は、識別情報と位置情報とを表す符号画像を生成する（ステップ２１４）。この符号画像の生成は、具体的には、次のような処理により行われる。
即ち、まず、識別情報取得部２２が、ステップ２１３で取得した識別情報を識別符号生成部２５ａに渡し、識別符号生成部２５ａが、識別情報を符号化することで識別符号を生成する。尚、識別情報の符号化の詳細については後述する。
また、位置符号生成部２５ｂは、受信部２１から印刷設定を受け取り、印刷設定に応じた範囲の位置情報を符号化することで位置符号を生成する。尚、位置情報の符号化の詳細についても後述する。
その後、符号配置部２５ｃが、識別符号と位置符号とを予め定めたレイアウトに従って配置し、これを符号画像生成部２５ｅが、パターン画像記憶部２５ｄに記憶されたパターン画像を用いて画像化することで符号画像を生成する。
【００３０】
また、文書サーバ２０では、文書画像生成部２６が、電子文書の文書画像を生成する（ステップ２１５）。その際、文書画像生成部２６は、ステップ２１１で識別情報取得部２２が取得した文書ＩＤを受け取り、これに基づいて対象となる電子文書を図示しない記憶手段から読み出す。また、ステップ２１１で識別情報取得部２２が取得した印刷設定を受け取り、これに基づいて文書画像を生成する。
そして、画像合成部２７は、ステップ２１４で生成された符号画像と、ステップ２１５で生成された文書画像とを合成し、合成画像を生成する（ステップ２１６）。
その後、合成画像は送信部２９に渡され、送信部２９が、合成画像の印刷命令を画像形成装置４０に送信する（ステップ２１７）。ここで、合成画像の印刷命令は、例えば、文書画像の印刷命令の列からなるＰＤＬ（Page Description Language）ファイルに対し、符号画像として印刷する内容をＰＤＬコマンドとして設定したＰＤＬの形式で送信される。
【００３１】
これにより、画像形成装置４０は、文書画像を例えばＣ（シアン）、Ｍ（マゼンタ）、Ｙ（イエロー）のトナーを用いて媒体に印刷する。また、符号画像を例えばＫ（カーボンを含む黒）のトナー又は特殊トナーを用いて媒体に印刷する。
ここで、特殊トナーとしては、可視光領域（４００ｎｍ〜７００ｎｍ）における最大吸収率が７％以下であり、近赤外領域（８００ｎｍ〜１０００ｎｍ）における吸収率が３０％以上の不可視トナーが例示される。ここで、「可視」及び「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００３２】
尚、ここでは、電子文書の画像に符号画像を合成して印刷することとしたが、白紙（ノートや付箋等）に符号画像を印刷する構成としてもよい。その場合は、ステップ２１１で受信する印刷要求に文書ＩＤを含めないようにし、ステップ３１３で識別情報と文書ＩＤ及び印刷設定との関連付けを行わないようにし、ステップ２１５における文書画像の生成は実行しないようにすればよい。
【００３３】
また、本実施の形態において、識別情報サーバ３０は、ステップ２１７で文書サーバ２０が印刷命令を送信した画像形成装置４０のアドレスも、媒体管理情報に含めて管理しておく。この画像形成装置４０のアドレスは、文書サーバ２０がステップ２１１で受信する印刷要求に含めるようにしてもよいし、文書サーバ２０又は識別情報サーバ３０が複数の画像形成装置４０の中から何らかの基準によって決定するようにしてもよい。
【００３４】
次に、本実施の形態で生成される符号画像について説明する。
図６は、符号画像を構成する画像等の一例を示した図である。
まず、符号画像を構成する単位パターンについて説明する。
図６（ａ）は、単位パターンの一例を示したものである。
単位パターンとは、情報埋め込みの最小単位である。図では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。即ち、図は、ドットを配置可能な９箇所の中から選択した２箇所にドットを配置することで単位パターンを構成した例を示したものである。ここで、９箇所の中から２箇所を選択する組み合わせは３６（＝９Ｃ２）通りなので、単位パターンは、３６種類存在する。このうち、４種類の単位パターンは、同期パターンとして使用される。同期パターンとは、画像の回転を検出したり、識別符号及び位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号及び位置符号を表現する情報パターンとして使用され、５ビットの情報が表現される。
【００３５】
ところで、図６（ａ）に示したドットは、あくまで情報表現のためのドットであり、画像を構成する最小の点を意味するドットとは必ずしも一致しない。本実施の形態において、情報表現のためのドット（図６（ａ）の最小の四角）は、６００ｄｐｉにおける２ドット×２ドットの大きさを有している。６００ｄｐｉにおける１ドットの大きさは０．０４２３ｍｍなので、情報表現のためのドット（図６（ａ）の最小の四角）の一辺は、８４．６μｍ（＝０．０４２３ｍｍ×２）である。情報表現のためのドットは、大きくなればなるほど目に付きやすくなるため、小さいほうが好ましい。ところが、あまり小さくすると、プリンタで印刷できなくなってしまう。そこで、情報表現のためのドットの大きさとして、５０μｍより大きく１００μｍより小さい上記の値を採用している。但し、上記の値８４．６μｍは、あくまで計算上の数値であり、実際に印刷されたトナー像では１００μｍ程度になる。尚、本明細書で「ドット」というときは、特に明示しない限り、画像を構成する最小の点を意味するドットではなく、情報表現のためのドットを指すものとする。
【００３６】
次に、このような単位パターンから構成される符号ブロックについて説明する。
図６（ｂ）に、符号ブロックのレイアウトの一例を示す。尚、ここでは、画像ではなく、パターン画像によって置き換えられる直前の符号配列で示している。即ち、図６（ｂ）の最小の四角（以下、「単位ブロック」という）に、図６（ａ）のような単位パターン（３６通りの単位パターンのいずれか）が配置され、その画像が媒体に形成されることになる。
図６（ｂ）のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。更に、これらの位置符号が配置された単位ブロックに囲まれた１６（＝４×４）個の単位ブロックに識別符号が配置されている。
【００３７】
ここで、識別情報の符号化について述べる。
識別情報を符号化する場合、識別情報を構成するビット列は、ＲＳ符号化を行うために複数のブロックに分割される。符号化には、いくつかの方法があるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図６（ｂ）の符号ブロックにおける識別符号が配置される単位ブロックに収まることになる。尚、符号化方式はＲＳ符号に限定するものでなく、その他の符号化方式、例えば、ＢＣＨ符号等を使用してもよい。
【００３８】
次に、位置情報の符号化について述べる。
位置情報の符号化には、擬似乱数系列の一種であるＭ系列符号が使用される。ここで、Ｍ系列とは、ある長さのシフトレジスタとフィードバックによって生成される符号系列のうち、その周期が最長になる系列をいう。Ｋをシフトレジスタの段数とすると、Ｍ系列の系列長は２Ｋ−１となる。このＭ系列から取り出した任意の連続したＫビットは、同じＭ系列中の他の位置に現れない性質を持つ。そこで、この性質を利用して位置情報を符号化する。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。即ち、固定のＭ系列を予め生成しておき、それをメモリ等に格納しておけばよい。
例えば、系列長８１９１のＭ系列（Ｋ＝１３）を使用したとする。この場合、位置符号も５ビット単位で埋め込むため、系列長８１９１のＭ系列から５ビットずつ取り出してブロック化する。
【００３９】
尚、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００４０】
さて、図５のステップ２１７で印刷命令が送信されると、画像形成装置４０がこの印刷命令に基づいて画像を印刷する。
そこで、まず、画像形成装置４０のハードウェア構成について説明する。
図７は、画像形成装置４０のハードウェア構成例を示した図である。
図示するように、画像形成装置４０は、ＣＰＵ（Central Processing Unit）４１と、ＲＡＭ（Random Access Memory）４２と、ＲＯＭ（Read Only Memory）４３と、ＨＤＤ（Hard Disk Drive）４４と、操作パネル４５と、画像読取部４６と、画像形成部４７と、通信インターフェースコントローラ（以下、「通信Ｉ／Ｆコントローラ」と表記する）４８とを備える。
【００４１】
ＣＰＵ４１は、ＲＯＭ４３等に記憶された各種プログラムをＲＡＭ４２にロードして実行することにより、図８を参照して後述する各機能を実現する。
ＲＡＭ４２は、ＣＰＵ４１の作業用メモリ等として用いられるメモリである。
ＲＯＭ４３は、ＣＰＵ４１が実行する各種プログラム等を記憶するメモリである。
ＨＤＤ４４は、画像読取部４６が読み取った画像データや画像形成部４７における画像形成にて用いる画像データ等を記憶する例えば磁気ディスク装置である。
操作パネル４５は、各種情報の表示やユーザからの操作入力の受付を行う例えばタッチパネルである。
【００４２】
画像読取部４６は、紙等の記録媒体に記録された画像を読み取る。ここで、画像読取部４６は、例えばスキャナであり、光源から原稿に照射した光に対する反射光をレンズで縮小してＣＣＤ(Charge Coupled Devices)で受光するＣＣＤ方式や、ＬＥＤ光源から原稿に順に照射した光に対する反射光をＣＩＳ(Contact Image Sensor)で受光するＣＩＳ方式のものを用いるとよい。
【００４３】
画像形成部４７は、紙等の記録媒体に画像を形成する。ここで、画像形成部４７は、例えばプリンタであり、感光体に付着させたトナーを記録媒体に転写して像を形成する電子写真方式や、インクを記録媒体上に吐出して像を形成するインクジェット方式のものを用いるとよい。
通信Ｉ／Ｆコントローラ４８は、ネットワークを介して他の装置との間で各種情報の送受信を行う。
【００４４】
次に、画像形成装置４０でＣＰＵ４１が動作することによって実現される機能構成例にについて説明する。尚、以下では、図５のステップ２１７で送信される印刷命令として、ＰＤＬで記述されたＰＤＬデータを例にとって説明する。
図示するように、画像形成装置４０は、受信部４０１と、ＰＤＬ解釈部４０２と、解釈結果記憶部４０３と、文書判別テーブル記憶部４０４と、文書判別部４０５とを備える。また、切出しテーブル記憶部４０６と、切出し部４０７と、切出し結果記憶部４０８と、送信部４０９とを備える。
【００４５】
受信部４０１は、文書サーバ２０からＰＤＬデータを受信する。本実施の形態では、印刷命令を取得する印刷命令取得手段の一例として、受信部４０１を設けている。
ＰＤＬ解釈部４０２は、所謂ＰＤＬインタプリタである。受信部４０１が受信したＰＤＬデータを解釈して、印刷すべき文字、数字、記号等のデータ（以下、「印刷データ」という）と、印刷データを印刷すべき座標（以下、「印刷座標」という）とを取り出し、印刷データと印刷座標との対応情報を解釈結果として解釈結果記憶部４０３に記憶する。本実施の形態では、印刷情報の一例として、印刷データを用いており、印刷位置の一例として、印刷座標を用いている。また、各印刷位置と各印刷位置に対する印刷情報とを対応付けた対応情報を生成する生成手段の一例として、ＰＤＬ解釈部４０２を設けている。
解釈結果記憶部４０３は、ＰＤＬ解釈部４０２による解釈結果を記憶する。具体的には、図示するように、ＰＤＬデータから取り出された印刷データと、印刷データを印刷すべき印刷座標とを対応付けた対応情報を記憶する。但し、図では、「印刷データ」は単に「データ」と表記し、「印刷座標」は単に「座標」と表記している。
【００４６】
文書判別テーブル記憶部４０４は、印刷対象の電子文書が印刷データ及び印刷座標を切り出すべき電子文書であるかを判別するための文書判別テーブルを記憶する。具体的には、図示するように、印刷データ及び印刷座標を切り出すべき電子文書であると判別するための手がかりとなる印刷データと、印刷データ及び印刷座標を切り出すべき電子文書であると判別するためにその印刷データが印刷されているべき印刷座標と、その印刷座標にその印刷データが印刷された電子文書のテンプレートＮｏとの対応を記憶する。
文書判別部４０５は、文書判別テーブル記憶部４０４に記憶された文書判別テーブルに基づいて、印刷対象の電子文書が印刷データ及び印刷座標を切り出すべき電子文書であるかを判別し、印刷データ及び印刷座標を切り出すべき電子文書については、テンプレートＮｏを取得する。本実施の形態では、電子文書の種別として決定する決定手段の一例として、文書判別部４０５を設けている。
【００４７】
切出しテーブル記憶部４０６は、ＰＤＬデータのどの印刷座標における印刷データを切り出すべきかを判別するための切出しテーブルを記憶する。具体的には、図示するように、テンプレートごとに、切り出すべき印刷座標のリスト（座標リスト）が定義されている。
切出し部４０７は、切出しテーブル記憶部４０６に記憶された切出しテーブルに基づいて、ＰＤＬデータから印刷データを切り出し、切り出した結果を、ＰＤＬデータに設定されていた印刷帳票の識別情報と関連付けて切出し結果記憶部４０８に記憶する。本実施の形態では、印刷情報を抽出する印刷情報抽出手段の一例として、切出し部４０７を設けている。
切出し結果記憶部４０８は、切出し部４０７による切出しの結果を記憶する。具体的には、図示するように、ＰＤＬデータに設定されていた印刷帳票の識別情報と、切り出した印刷データと、その印刷データを印刷すべき印刷座標との対応を記憶する。
送信部４０９は、後述する比較画面の表示時に、ＰＤＬデータから切り出した印刷データの送信要求を受信部４０１が識別情報サーバ３０から受信すると、切出し結果記憶部４０８に記憶された切出し結果のうち、識別情報サーバ３０から指定された印刷帳票の識別情報に対応するものを抽出して識別情報サーバ３０に送信する。
【００４８】
次いで、画像形成装置４０の動作について説明する。
図９は、画像形成装置４０の動作例を示したフローチャートである。
画像形成装置４０では、まず、受信部４０１が、文書サーバ２０からＰＤＬデータを受信する（ステップ４１１）。そして、ＰＤＬ解釈部４０２が、ＰＤＬデータを解釈し、ＰＤＬデータから印刷座標と印刷データとの対応を取り出して解釈結果記憶部４０３に記憶する（ステップ４１２）。例えば、図８の例では、印刷座標（０，０）に印刷データ「富士」を、印刷座標（１０，１０）に印刷データ「受注」を、印刷座標（２０，２０）に「１２３」をそれぞれ印刷する旨の情報が記憶されている。
【００４９】
次に、文書判別部４０５が、文書判別テーブル記憶部４０４に記憶された文書判別テーブルを参照して、ＰＤＬデータで印刷が指示された電子文書が、印刷データ及び印刷座標を切り出すべき電子文書であるかどうかを判定する（ステップ４１３）。例えば、図８の例では、文書判別テーブルにおいて、印刷座標（１０，１０）に対し、印刷データ「受注」又は「発注」が記憶されている。従って、印刷座標（１０，１０）に、印刷データ「受注」又は「発注」を印刷するようになっているかどうかをチェックする。
その結果、ＰＤＬデータで印刷が指示された電子文書が、印刷データ及び印刷座標を切り出すべき電子文書でないと判定されると、そのままステップ４１８へ進む。
【００５０】
一方、ＰＤＬデータで印刷が指示された電子文書が、印刷データ及び印刷座標を切り出すべき電子文書であると判定されると、文書判別部４０５は、文書判別テーブル記憶部４０４に記憶された文書判別テーブルを参照し、ステップ４１３で着目した印刷データ及び印刷座標に対応するテンプレートＮｏを取得する（ステップ４１４）。次に、切出し部４０７が、切出しテーブル記憶部４０６に記憶された切出しテーブルを参照し、ステップ４１４で文書判別部４０５が取得したテンプレートＮｏに対応する印刷座標のリスト（座標リスト）を取得する（ステップ４１５）。そして、解釈結果記憶部４０３に記憶された解釈結果に含まれる印刷座標のうち、この座標リスト内の印刷座標と一致するものがあれば、その印刷座標とそれに対応する印刷データとを取り出す（ステップ４１６）。その後、取り出した印刷座標と印刷データとをセットにし、ＰＤＬデータに設定された印刷帳票の識別情報と関連付けて切出し結果記憶部４０８に記憶し（ステップ４１７）、ステップ４１８へ進む。
そして、最後に、ＰＤＬ解釈部４０２は、解釈結果を画像形成部４７に出力し、画像形成部４７が印刷帳票に画像を印刷する（ステップ４１８）。尚、この段階で、解釈結果記憶部４０３の内容は削除可能である。
【００５１】
Ｂ．手書き帳票への筆記
本実施の形態では、手書き帳票に対する筆跡情報がデジタルペン６０から通信装置７０を介して端末装置５０に伝えられ、文書サーバ２０へ登録される。
そこで、まず、デジタルペン６０の機構について説明する。
図１０は、デジタルペン６０の構成例を示した図である。
図示するように、デジタルペン６０は、ペン全体の動作を制御する制御回路６１を備える。また、制御回路６１は、読み取った符号画像を処理する画像処理部６１ａと、そこでの処理結果から識別情報及び位置情報を抽出するデータ処理部６１ｂとを含む。
また、制御回路６１には、デジタルペン６０による筆記動作をペンチップ６９に加わる圧力によって検出する圧力センサ６２が接続されている。更に、媒体上に赤外光を照射する赤外ＬＥＤ６３と、反射光を検知することによって符号画像を読み取る赤外ＣＭＯＳ６４も接続されている。更にまた、識別情報及び位置情報を記憶するための情報メモリ６５と、外部装置と通信するための通信回路６６と、ペンを駆動するためのバッテリ６７と、ペンの識別情報（ペンＩＤ）を記憶するペンＩＤメモリ６８も接続されている。
【００５２】
次に、このうち制御回路６１において実現される機能構成について更に詳細に説明する。
図１１は、制御回路６１の機能構成例を示したブロック図である。尚、図では、制御回路６１内の画像処理部６１ａとデータ処理部６１ｂとに分けて、機能構成例を示している。
図示するように、画像処理部６１ａは、画像取得部６１１と、ドット配列生成部６１２とを備える。また、データ処理部６１ｂは、符号配列生成部６１３と、識別情報取得部６１４と、位置情報取得部６１５と、筆跡情報生成部６１６と、通信制御部６１９とを備える。
【００５３】
画像取得部６１１は、赤外ＣＭＯＳ６４が印刷文書から読み取った符号画像を取得する。また、必要に応じて、符号画像に含まれるノイズを除去する。
ドット配列生成部６１２は、符号画像におけるドットの位置を参照して、ドット配列を生成する。即ち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００５４】
符号配列生成部６１３は、ドット配列上で、符号ブロック内の単位パターンに対応するブロックを検出する。具体的には、単位パターンが配置されるブロックと同じ形状及び大きさの枠をドット配列上で動かし、枠内のドット数が均等になる位置で枠を固定する。例えば、図６（ａ）の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００５５】
識別情報取得部６１４は、符号配列から同期符号の位置を基準にして識別符号を検出する。そして、画像生成時にＲＳ符号化処理で用いたパラメータを用いて識別符号を復号し、識別情報を取得する。
位置情報取得部６１５は、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。尚、オフセットで補正するのは、位置符号の間に同期符号が配置されているためである。
【００５６】
筆跡情報生成部６１６は、位置情報取得部６１５が取得した位置情報を連結して筆跡情報を生成する。ここで、筆跡情報には、少なくともデジタルペン６０のペン先の軌跡を電子化したデータが含まれるが、これ以外の情報を含んでもよい。ペン先の軌跡以外の情報としては、例えば、筆記した時にペンに設定されていた色の情報や、筆圧の情報等がある。
通信制御部６１９は、識別情報取得部６１４が取得した識別情報と、筆跡情報生成部６１６が生成した筆跡情報とを通信回路６６に受け渡すことで、通信装置７０への情報送信を実現する。
【００５７】
次に、デジタルペン６０が筆跡情報を生成して識別情報サーバ３０に登録する際の動作について説明する。
デジタルペン６０では、まず、赤外ＬＥＤ６３が媒体に対して赤外光を照射し、赤外ＣＭＯＳ６４がその反射光を受光することにより、符号画像を読み取る。そして、画像取得部６１１がこの読み取った符号画像を取得する。そして、符号画像にノイズが含まれていれば、これを除去する。次に、ドット配列生成部６１２が、符号画像に含まれるドット位置をデジタルデータ化し、ドット配列を生成する。
【００５８】
図１２は、その後のデジタルペン６０及び識別情報サーバ３０の動作を示したシーケンス図である。
デジタルペン６０は、識別情報と、筆跡情報とを取得する（ステップ６２１）。具体的には、次のような処理を行う。即ち、まず、符号配列生成部６１３が、ドット配列からブロックを検出し、ブロックごとの符号値を格納した符号配列を生成する。そして、符号配列において、同期符号の位置を特定する。その後、識別情報取得部６１４が、同期符号の位置に基づいて識別符号を検出し、これを復号して識別情報を取得する。また、位置情報取得部６１５が、同期符号の位置に基づいて位置符号を検出し、これを復号して位置情報を取得する。そして、筆跡情報生成部６１６が、位置情報を連結して筆跡情報を生成する。
その後、通信制御部６１９が、これらの情報を通信装置７０及び端末装置５０を介して識別情報サーバ３０へ送信する（ステップ６２２）。
【００５９】
これにより、識別情報サーバ３０では、まず、受信部３１が、識別情報、筆跡情報を受信する（ステップ３２１）。次に、これらの情報は筆跡管理部３５に渡され、筆跡管理部３５が、渡された筆跡情報を、渡された識別情報に関連付けて、筆跡管理情報記憶部３６に記憶する（ステップ３２２）。この筆跡情報の登録処理が正常終了すると、筆跡管理部３５は、その旨を送信部３９に伝え、送信部３９が、筆跡情報の登録報告をデジタルペン６０に送信する（ステップ３２３）。
そして、デジタルペン６０は、筆跡情報の登録報告を受信する（ステップ６２３）。
【００６０】
ここで、筆跡管理情報記憶部３６に記憶される筆跡管理情報の具体的な内容について説明する。
図１３（ａ）は、筆跡管理情報の具体例を示した図である。
図示するように、筆跡管理情報は、識別情報と、筆跡情報とを対応付けたものとなっている。
このうち、識別情報は、手書き帳票を一意に識別するための情報である。
また、筆跡情報は、既に述べた通り、手書き帳票に対する筆記内容を電子化した情報である。但し、筆跡情報はイメージデータであるため、そのまま対応付けるのではなく、筆跡情報の格納場所を対応付けるようにしている。図では、筆跡情報の格納場所として、筆跡情報のファイル名を示している。例えば、筆跡情報を同じフォルダの配下に格納するものとすれば、筆跡情報はファイル名によって一意に特定することができる。或いは、筆跡情報の格納場所の情報として、例えばＵＲＬを対応付けるようにしてもよい。
図には、例えば、識別情報「１０１」の手書き帳票に対する筆跡情報は、「Ｓｃｒ１」という名前のファイルとして記憶されていることが示されている。また、識別情報「１０２」の手書き帳票に対する筆跡情報は、「Ｓｃｒ２」という名前のファイルとして記憶されていることが示されている。
【００６１】
また、図１３（ｂ）は、図１３（ａ）の筆跡管理情報で管理される筆跡情報の具体例を示した図である。
ここでは、「Ｓｃｒ１」という名前のファイルとして記憶された筆跡情報を示している。即ち、このようなイメージデータで表わされる筆記が、識別情報「１０１」の手書き帳票に対してなされている。尚、このイメージデータは、例えば、図の枠の左上点を原点とし、上辺をＸ軸とし、左辺をＹ軸とした座標系における座標を付して管理されており、筆記がなされた座標（以下、「筆記座標」という）が与えられると、筆記座標における筆跡情報の部分を切り出すことができるようになっている。尚、本実施の形態では、筆記位置の一例として、筆記座標を用いている。
【００６２】
Ｃ．比較画面の表示
本実施の形態では、Ａの切出し結果とＢの筆跡管理情報とに基づいて、印刷命令から切り出した情報と筆跡情報から切り出した情報とを比較するための比較画面を表示する。
その場合、ユーザは、まず、印刷帳票及び手書き帳票をデジタルペン６０で指示する。すると、デジタルペン６０は、各帳票の識別情報を読み取り、通信装置７０を介して端末装置５０に出力する。
すると、端末装置５０は、デジタルペン６０から伝えられた各帳票の識別情報を識別情報サーバ３０に送信する。
【００６３】
図１４は、その後の識別情報サーバ３０及び画像形成装置４０の動作を示したシーケンス図である。
識別情報サーバ３０では、まず、受信部３１が、端末装置５０から各帳票の識別情報を受信し、印刷帳票の識別情報は媒体管理部３２に、手書き帳票の識別情報は筆跡管理部３５にそれぞれ受け渡す（ステップ３３１）。
【００６４】
次に、媒体管理部３２が、媒体管理情報記憶部３３に記憶された媒体管理情報を参照し、ステップ３３１で渡された印刷帳票の識別情報に対応する画像形成装置４０のアドレスを取得して、印刷帳票の識別情報と画像形成装置４０のアドレスとを送信部３９に渡す。すると、送信部３９は、このアドレスの画像形成装置４０に対して、印刷帳票の識別情報を送信する（ステップ３３２）。
これにより、画像形成装置４０では、受信部４０１が、印刷帳票の識別情報を受信する（ステップ４３１）。そして、この識別情報は送信部４０９に受け渡され、送信部４０９が、切出し結果記憶部４０８に記憶された切出し結果を参照し、渡された識別情報に対応する印刷座標及び印刷データの少なくとも１つの組を取り出す（ステップ４３２）。その後、送信部４０９がこれらの情報を識別情報サーバ３０に送信する（ステップ４３３）。
これにより、識別情報サーバ３０では、受信部３１が、印刷座標及び印刷データの少なくとも１つの組を受信する（ステップ３３３）。そして、これらの情報は表示情報生成部３４に渡される。
【００６５】
一方、筆跡管理部３５は、筆跡管理情報記憶部３６に記憶された筆跡管理情報を参照し、ステップ３３１で渡された手書き帳票の識別情報に対応する筆跡情報を取得する（ステップ３３４）。そして、印刷帳票上の各印刷座標と手書き帳票上の各筆記座標との対応を設定した設定情報に基づいて、筆跡情報の部分を切り出す（ステップ３３５）。具体的には、ステップ３３４で取得した筆跡情報のうち、設定情報に含まれる筆記座標で特定される部分の筆跡情報を切り出す。尚、設定情報は、比較画面を表示する際に、ユーザが外部から与えてもよいし、印刷帳票又は手書き帳票を印刷する際に、例えば、印刷要求に含めておき、これを識別情報サーバ３０が保持しておいてもよい。そして、この切り出された筆跡情報は表示情報生成部３４に渡される。
【００６６】
その後、表示情報生成部３４が、設定情報で設定された印刷座標と筆記座標との対応ごとに、ステップ３３３で受信した印刷データと、ステップ３３５で切り出した筆跡情報とを並べた比較画面を表示するための表示情報を生成する（ステップ３３６）。
そして、表示情報生成部３４は、このようにして生成した表示情報を送信部３９に渡し、送信部３９が、表示情報を端末装置５０に送信する（ステップ３３７）。
これにより、端末装置５０では、比較画面がディスプレイ上に表示されることになる。
【００６７】
尚、この動作例では、印刷帳票の識別情報と手書き帳票の識別情報をそれぞれデジタルペン６０で取得するようにしたが、一方の帳票の識別情報のみをデジタルペン６０で取得するようにしてもよい。例えば、印刷帳票又は手書き帳票の印刷時に、これらに付与された識別情報を識別情報サーバ３０で対応付けて管理しておけば、このように一方の帳票の識別情報しか与えられなかった場合であっても、他方の帳票の識別情報を特定することができる。
以上により、本実施の形態の動作の説明を終了する。
【００６８】
尚、上記実施の形態では、印刷帳票に対しても位置情報を認識可能な符号画像を印刷したが、筆記内容を電子化する機能を印刷帳票に持たせることは必ずしも必要ではないので、印刷帳票に対してはそのような符号画像を印刷しなくてもよい。即ち、印刷帳票の識別情報を認識可能な符号画像を印刷すれば十分である。この場合、その符号画像のレイアウトも図６に示したようなものである必要はなく、例えば、バーコードや、ＱＲコード（登録商標）等であってもよい。
【００６９】
また、上記実施の形態では、デジタルペン６０が手書き帳票に対する筆跡情報の全体を生成し、識別情報サーバ３０がその中から比較対象の部分を切り出すようにしたが、これには限らない。例えば、デジタルペン６０に対して比較対象の部分を予め伝えておき、手書き帳票に対する筆記のうちその部分に対する筆記のみを電子化して筆跡情報を生成してもよい。或いは、このような方法で筆跡情報を生成する場合は、デジタルペン６０ではなく、フラットベッド型スキャナを用いてもよい。つまり、筆記済の手書き帳票をフラットベッド型スキャナでスキャンし、スキャン画像から、予め伝えられた比較対象の部分を切り出し、筆跡情報を生成するとよい。
【００７０】
更に、上記実施の形態では、印刷データと筆跡情報とを対応付けて表示し、ユーザがそれを目視して一致しているかどうかを確認するようにした。しかしながら、例えば、識別情報サーバ３０の文字認識手段（図示せず）が、筆跡情報に対して文字認識を行い、識別情報サーバ３０の一致度取得手段（図示せず）が、画像形成装置４０から受信した印刷データとこの文字認識の結果との一致度（例えば、一致／不一致の情報）を取得し、送信部３９がこの一致度を端末装置５０に送信するようにしてもよい。
【００７１】
ところで、本実施の形態では、デジタルペン６０が筆跡情報を生成し、識別情報サーバ３０が筆跡情報の指定された部分を切り出し、画像形成装置４０が印刷命令から印刷データを切り出すようにした。しかしながら、これらの処理を如何なる装置で行うかについては種々のバリエーションが考えられる。例えば、筆跡情報の部分の切出しは、端末装置５０又は画像形成装置４０が行ってもよいし、印刷データの切出しは、プリントサーバ（図示せず）が行ってもよい。
そこで、これらの処理をコンピュータ９０で行うものとして、コンピュータ９０のハードウェア構成について説明する。
【００７２】
図１５は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信Ｉ／Ｆ９４と、ビデオメモリやディスプレイ等からなる表示機構９５と、キーボードやマウス等の入力デバイス９６とを備える。
【００７３】
尚、本実施の形態を実現するプログラムは、通信手段により提供することはもちろん、ＣＤ−ＲＯＭ等の記録媒体に格納して提供することも可能である。
【符号の説明】
【００７４】
１０，５０…端末装置、２０…文書サーバ、３０…識別情報サーバ、４０…画像形成装置、６０…デジタルペン、８０…ネットワーク
【図１】
2010225002.tif 000003
【図２】
2010225002.tif 000004
【図３】
2010225002.tif 000005
【図４】
2010225002.tif 000006
【図５】
2010225002.tif 000007
【図６】
2010225002.tif 000008
【図７】
2010225002.tif 000009
【図８】
2010225002.tif 000010
【図９】
2010225002.tif 000011
【図１０】
2010225002.tif 000012
【図１１】
2010225002.tif 000013
【図１２】
2010225002.tif 000014
【図１３】
2010225002.tif 000015
【図１４】
2010225002.tif 000016
【図１５】
2010225002.tif 000017